(57)【要約】【課題】操作者に対して次に入力処理すべき内容を容易に把握させることが可能な情報入力装置およびこれを備えた受付端末機、プリント注文受付システム、情報処理入力プログラムを提供する。【解決手段】プリント注文受付システム１は、表示制御部３２と、タッチパネル２３と、時間計測部３６と、表示変更部３７とを備えている。表示制御部３２は、操作者から入力を受け付けるための入力画面を表示する。タッチパネル２３は、入力画面における入力領域に対して情報の入力を行うことができる。時間計測部３６は、タッチパネル２３によって入力領域に情報が入力されてからの経過時間を計測する。表示変更部３７は、入力画面において次に入力処理を要求する入力領域の表示方法を経過時間に基づいて変更する。【選択図】図４
2008304804.tif 000002
【特許請求の範囲】
【請求項１】
操作者から入力を受け付けるための入力画面を表示する表示制御部と、
前記入力画面における入力領域に対して情報の入力を行うための入力操作部と、
前記入力操作部によって前記入力領域に前記情報が入力されてからの経過時間を計測する時間計測部と、
前記入力画面において次に入力処理を要求する前記入力領域の表示方法を前記経過時間に基づいて変更する表示変更部と、
を備えた情報入力装置。
【請求項２】
前記表示変更部は、前記入力領域を拡大表示させる、
請求項１に記載の情報入力装置。
【請求項３】
前記表示変更部は、前記入力領域を点滅表示させる、
請求項１または２に記載の情報入力装置。
【請求項４】
請求項１から３のいずれか１項に記載の情報入力装置を備えている、受付端末機。
【請求項５】
請求項４に記載の受付端末機と、
ネットワークを介して前記受付端末機に接続されている写真プリント装置と、
を備えている、プリント注文受付システム。
【請求項６】
操作者から入力を受け付けるための入力画面を表示する第１のステップと、
前記第１のステップにおいて表示された入力領域に入力された情報を取得する第２のステップと、
前記第２のステップにおいて前記情報が取得されたことを検知してからの経過時間を計測する第３のステップと、
前記入力画面において次に入力処理を要求する前記入力領域の表示方法を、前記第３のステップにおいて計測される前記経過時間に基づいて変更する第４のステップと、
を備えた処理方法をコンピュータに実行させる情報入力処理プログラム。
【発明の詳細な説明】
【技術分野】
【０００１】
本発明は、ユーザが入力操作を行うことによって、各種命令や情報を入力する情報入力装置およびこれを備えた受付端末機、プリント注文受付システム、情報入力処理プログラムに関する。
【背景技術】
【０００２】
従来、デジタルカメラで撮影したデジタルの写真画像情報のプリントを行う場合には、その画像情報が記憶保存された記録媒体（メディア）をＤＰ店の店員に手渡してプリント注文を行うようにしていた。ところが、近年では、店頭に設置されたプリント注文受付装置に対して顧客自らが操作者となって入力操作してプリント注文を行う方法が一般化しつつある。そして、このような店頭に設置してあるプリント注文受付装置には、初めて使用する操作者や使用頻度が少なくて未だ入力操作に慣れていない操作者（以下、これらの操作者を、初心者の操作者という）は、どの操作ボタンを操作すればよいかを正確に理解していないために、入力操作に悩んで次の注文用画面へ移行するまでに時間がかかってしまう。
【０００３】
そこで、上記のような操作者に対して、入力を支援するような情報入力装置を搭載したプリント注文受付装置が開示されている。例えば、特許文献１においては、注文用画面が表示されているときに、初心者の操作者でも操作が分かるような入力操作に関するガイダンス情報を表示する情報入力装置を搭載したプリント注文受付装置が開示されている。
【特許文献１】特開２００３−７６９３０号公報
【発明の開示】
【発明が解決しようとする課題】
【０００４】
しかしながら、上記従来の情報入力装置では、以下に示すような問題点を有している。
すなわち、入力操作に関するガイダンス情報を表示しても、表示画面上の入力すべき点が実際にどこを指しているのかが分からなかったり、また、表示画面上の入力すべき点を把握するのに時間がかかったりするおそれがある。
本発明は、上記従来の課題を解決するもので、操作者に対して次に入力処理すべき内容を容易に把握させることが可能な情報入力装置およびこれを備えた受付端末機、プリント注文受付システム、情報入力処理プログラムを提供することにある。
【課題を解決するための手段】
【０００５】
第１の発明に係る情報入力装置は、表示制御部と、入力操作部と、時間計測部と、表示変更部とを備えている。表示制御部は、操作者から入力を受け付けるための入力画面を表示する。入力操作部は、入力画面における入力領域に対して情報の入力を行うことができる。時間計測部は、入力操作部によって入力領域に情報が入力されてからの経過時間を計測する。表示変更部は、入力画面において次に入力処理を要求する入力領域の表示方法を経過時間に基づいて変更する。
【０００６】
ここでは、表示変更部が、入力画面において次に入力処理を要求する入力領域の表示方法を経過時間に基づいて変更している。例えば、操作者によって入力された後に一定の時間が経過しても入力領域への入力がない場合、次に入力すべき入力領域を拡大して表示する。
ここでいう入力領域とは、表示画面に表示される入力画面（ＧＵＩ：Graphical User Interface）を形成する、例えば、テキストボックスやボタン、チェックボックス等をいう。そして、操作入力部による操作は、テキストボックス等に情報を入力するだけでなく、ボタン等をクリックする操作等も含む。
【０００７】
ここで、例えば、店頭に設置されている店頭端末機等において操作者に注文情報の入力を要求する場合、初心者の操作者がその店頭端末機を操作することは容易なことではない。
従来、注文用画面の表示と同時に初心者の操作者でも操作が分かるようなガイダンス情報を表示することができる情報入力装置を搭載することによって、上記のような操作者に対して、店頭端末機における入力を支援していた。しかし、入力操作に関するガイダンス情報を表示しても、表示画面上の入力すべき箇所が実際にどこを指しているのかが分からなかったり、また、表示画面上の入力すべき箇所を把握するのに時間がかかったりする問題があった。
【０００８】
そこで、本発明の情報入力装置においては、表示変更部が、入力画面において次に入力処理を要求する入力領域の表示方法を、時間計測部が計測する経過時間に基づいて変更している。
これにより、操作者によって入力されてから一定の時間が経過しても次に入力を要求する入力領域に入力がない場合、表示変更部は、入力領域である、例えば、テキストボックスやボタン等の表示を拡大表示させることが可能となる。
この結果、操作者に表示方法を変更した入力領域に注意を引きつけることができるので、次に入力すべき入力領域を容易に把握させることが可能となる。
【０００９】
第２の発明に係る情報入力装置は、第１の発明に係る情報入力装置であって、表示変更部は、入力領域を拡大表示させる。
ここでは、表示変更部は、操作者によって入力されてから一定の時間が経過しても次に入力を要求する入力領域に入力がない場合、例えば、テキストボックスやボタン等の表示を拡大させている。
これにより、表示方法を変更したことを容易に操作者に把握させることが可能となる。
【００１０】
第３の発明に係る情報入力装置は、第１または第２の発明に係る情報入力装置であって、表示変更部は、入力領域を点滅表示させる。
ここでは、表示変更部は、操作者によって入力されてから一定の時間が経過しても次に入力を要求する入力領域に入力がない場合、例えば、テキストボックスやボタン等の表示を点滅させている。
これにより、表示方法を変更したことを容易に操作者に把握させることが可能となる。
【００１１】
第４の発明に係る受付端末機は、第１から第３の発明のいずれか１つに係る情報入力装置を備えている。
ここでは、店頭等に設置される受付端末機が、上記に示した情報入力装置を備えている。なお、ここでいう、受付端末機には、ネットワークを介して写真プリント装置に接続されている物や、受付端末機自体にプリント機能を有している物等も含まれる。
これにより、操作者が受付端末機を操作する際に、次に入力すべき内容について迷うことがなくなるので使用時間の短縮につながる。この結果、受付端末機を使用するために待たなければならない時間を短縮することが可能となる。
【００１２】
第５の発明に係るプリント注文受付システムは、第４の発明に係る受付端末機と、ネットワークを介して受付端末機に接続されている写真プリントシステムとを備えている。
ここでは、上記の受付端末機と、ネットワークを介して受付端末機に接続されている写真プリントシステムとを備えているプリント注文システムとして本発明を特定している。
これにより、写真プリントの注文を受け付けるプリント注文受付システムであっても、受付端末機において次に入力すべき入力領域を容易に把握させることが可能となる。
【００１３】
第６の発明に係る情報入力処理プログラムは、第１から第４のステップを備えている処理方法をコンピュータに実行させる。第１のステップは、操作者から入力を受け付けるための入力画面を表示する。第２のステップは、第１のステップにおいて表示された入力領域に入力された情報を取得する。第３のステップは、第２のステップにおいて上記情報が取得されたことを検知してからの経過時間を計測する。第４のステップは、入力画面において次に入力処理を要求する入力領域の表示方法を、第３のステップにおいて計測される経過時間に基づいて変更する。
【００１４】
ここでは、第４のステップにおいて、入力画面において次に入力処理を要求する入力領域の表示方法を経過時間に基づいて変更している。例えば、操作者によって入力された後に一定の時間が経過しても入力領域への入力がない場合、次に入力すべき入力領域を拡大して表示する。
ここでいう入力領域とは、表示画面に表示される入力画面（ＧＵＩ：Graphical User Interface）を形成する、例えば、テキストボックスやボタン、チェックボックス等をいう。
【００１５】
ここで、例えば、店頭に設置されている店頭端末機等において操作者に注文情報の入力を要求する場合、初めてその店頭端末機を扱う者や、そうした機械を扱うことに慣れていない者がその店頭端末機を操作することは容易なことではない。
従来、注文用画面の表示と同時に初心者の操作者でも操作が分かるようなガイダンス情報を表示することができる情報入力装置を搭載することによって、上記のような操作者に対して、店頭端末機における入力を支援していた。しかし、入力操作に関するガイダンス情報を表示しても、表示画面上の入力すべき箇所が実際にどこを指しているのかが分からなかったり、また、表示画面上の入力すべき箇所を把握するのに時間がかかったりする問題があった。
【００１６】
そこで、本発明の情報入力処理プログラムにおいては、第４のステップにおいて、入力画面において次に入力処理を要求する入力領域の表示方法を、第３のステップにおいて計測する経過時間に基づいて変更している。
これにより、操作者によって入力されてから一定の時間が経過しても次に入力を要求する入力領域に入力がない場合、第４のステップにおいて、入力領域である、例えば、テキストボックスやボタン等の表示を拡大表示させることが可能となる。
【００１７】
この結果、操作者に表示方法を変更した入力領域に注意を引きつけることができるので、次に入力すべき入力領域を容易に把握させることが可能となる。
【発明の効果】
【００１８】
本発明に係る情報入力装置によれば、操作者に対して次に入力処理すべき内容を容易に把握させることが可能となる。
【発明を実施するための最良の形態】
【００１９】
本発明の一実施形態に係るプリント注文受付システム１について、図１〜図１４を用いて説明すれば以下の通りである。
［プリント注文受付システム１全体の構成］
本発明の一実施形態に係るプリント注文受付システム１は、図１に示すように、受付端末機（情報入力装置，受付端末機）２と、写真プリント装置５とによって構成されており、受付端末機２と写真プリント装置５とは互いにネットワーク８によって通信可能に接続されている。
【００２０】
本実施形態のプリント注文受付システム１は、ＤＰ店における既設の写真プリント装置５に、ネットワーク８と２台の受付端末機２とを追加することにより構築されたものである。そして、本実施形態のプリント注文受付システム１では、顧客自らが操作者となって注文を行う。具体的には、操作者は、デジタルの写真画像情報が記憶保存された記録媒体Ｍ１（以下、メディアと示す）を受付端末機２におけるメディアドライブ２４（図２参照）にセットする。次に、表示手段としてのディスプレイ２２（図２参照）に表示される注文用画面に対して、プリント注文を行うための入力操作を行う。これにより、プリント注文に必要な項目（プリント枚数や画像補正情報等）が受け付けられ、その注文情報が写真プリント装置５に送信される。写真プリント装置５は、受付端末機２から送信されてくる注文情報に基づいて、印画紙Ｐに画像情報のプリントを行う。
【００２１】
そして、操作者のプリント注文終了後に、受付端末機２によって受付証ｒｅ（図２参照）がプリント発行される。操作者は、受付端末機２において入力した注文情報に基づいて写真プリント装置５によってプリントされた仕上がりプリントｐを、この受付証ｒｅと引き替えにＤＰ点の店員から貰うことができる。
なお、メディアＭ１の具体例としては、スマートメディア、コンパクトフラッシュ（登録商標）、メモリスティック（登録商標）、メディアのアタッチメントとして機能するＰＣカード、操作者自身が画像情報を保存したＣＤ−ＲＯＭやＭＯ等が挙げられる。
【００２２】
［受付端末機２の構成］
受付端末機２は、図２に示すように、筐体２１と、液晶型のディスプレイ２２とを備えている。
ディスプレイ２２は、筐体２１の上面に配置されている。そして、ディスプレイ２２は、画像表示面に入力手段としてのタッチパネル（入力操作部）２３が形成されている。タッチパネル２３は、操作者が接触して入力操作することにより入力操作信号を出力するように構成されているとともに、その操作者が接触する部分によって異なる入力操作信号を出力するようになっている。
【００２３】
筐体２１の前面には、各メディアドライブ２４にメディアＭ１をセットするための挿入口と、受付証ｒｅを発行するための熱転写式の受付証プリンタ２５が設けられている。
筐体２１の内部には、制御手段としてのコントローラ２０およびデータ格納部としてのハードディスク２６が内蔵されている。
コントローラ２０の機能は、ネットワーク機能を有する汎用コンピュータと実質的に同様であり、複数のメディアドライブ２４およびタッチパネル２３との情報のやりとり、操作者のタッチパネル２３による入力操作に基づいて、写真プリント装置５によるプリント出力に用いられる注文情報の作成、ハードディスク２６への格納管理、受付証プリンタ２５等の制御を行う。
【００２４】
コントローラ２０は、図３に示すように、ＣＰＵ２７と、作業領域が形成されるＲＡＭ型の半導体メモリや、プログラムやパラメータが保存されるＲＯＭ型の半導体メモリの総称としてのメモリ２８を有している。また、コントローラ２０は、ＲＯＭに格納された情報入力処理プログラムＰＧをＲＡＭに読み込むことにより、図４に示すように、画像情報処理部３１と、表示制御部（第１のステップ）３２と、入力検出部（第２のステップ）３３と、注文情報処理部３４と、受付証発行処理部３５と、時間計測部（第３のステップ）３６と、表示変更部（第４のステップ）３７とを備えた機能ブロックを形成する。そして、上記機能ブロックは、コントローラ２０によって実行可能な状態となる。
【００２５】
画像情報処理部３１は、メディアドライブ２４に挿入されたメディアＭ１から読み出した画像情報（ＪＰＥＧやＴＩＦＦ等）をサムネイル形式（以下、サムネイル画像と示す）でディスプレイ２２に注文用画面として表示するように機能する。画像情報処理部３１は、メディアＭ１にサムネイル画像が含まれる場合には、サムネイル画像の表示を行い、サムネイル画像が存在しない場合には、オリジナルの画像情報からサムネイル画像を生成してディスプレイ２２に表示する。
【００２６】
表示制御部３２は、操作者にメディアドライブ２４によって読み出される画像情報のプリント注文を行うための入力操作を促す複数の注文用画面をディスプレイ２２に表示する。この注文用画面には、メディアＭ１から読み出した画像情報（サムネイル画像）と、各種命令を確定するボタンや、プリント枚数等を入力するボタン等が含まれている。
入力検出部３３は、タッチパネル２３から出力された入力操作信号を受信して、操作者が接触操作したタッチパネル２３上の座標情報を認識するように機能する。表示制御部３２は、入力検出部３３で認識した座標情報に基づいて、タッチパネル２３上の座標情報とディスプレイ２２に表示している画面とを照らし合わせて、操作者の入力操作の内容を判定して、それに対応する画面を表示させる。
【００２７】
注文情報処理部３４は、操作者の入力操作により設定されたプリントサイズや、プリント対象の画像情報、そのプリント枚数等から注文情報を作成し、注文番号等を付してハードディスク２６に記憶させる
受付証発行処理部３５は、操作者のプリント注文終了後に、注文の明細、端末ＩＤおよび注文ＩＤ等を受付証プリンタ２５でプリントして受付証ｒｅとして出力するように機能する。そして、この受付証ｒｅは、サービスカウンターにおいて仕上がりプリントｐと交換するために使用される。
【００２８】
時間計測部３６は、操作者がタッチパネル２３によって入力操作してからの時間経過を計測する。すなわち、時間計測部３６は、タッチパネル２３から出力される入力信号を受信してからの経過時間を計測する。
表示変更部３７は、時間計測部３６が計測する時間に基づいて、表示制御部３２が表示する入力領域の表示を変更する。本実施形態においては、表示変更部３７は、入力領域を拡大表示する。
【００２９】
上記に示した機能ブロックによって、操作者の入力操作の内容に応じてプリント注文に必要な全ての項目を設定するとともに、この設定された項目によりプリント対象の画像情報を含む注文情報を作成する。そして、注文情報をハードディスク２６に保存し、かつ、受付証プリンタ２５により受付証ｒｅをプリント発行し、写真プリント装置５へ注文情報を転送する。
【００３０】
なお、受付端末機２のコントローラ２０は、写真プリント装置５とＬＡＮ（Local Area Network）接続され、ＴＣＰ／ＩＰ形式のプロトコルで互いに情報のアクセスを行えるよう構成されている。
［写真プリント装置５の構成］
写真プリント装置５は、記録シートとしての銀塩式の印画紙Ｐに画像情報のプリントを行うデジタル型の写真プリント装置であって、図１，図５に示すように、操作ステーション６とプリントステーション７とを備えている。
【００３１】
（操作ステーション６の構成）
操作ステーション６は、図１に示すように、デスク上に配置された、フィルムスキャナ６１と、メディアリーダ６２と、モニタ６３と、キーボード６４と、マウス６５と、パソコンＰＣとを有している。
フィルムスキャナ６１は、写真フィルムＦに現像された撮影コマに対応する画像を画像データとして取り込む。
【００３２】
メディアリーダ６２は、写真プリントシステム５のコントローラ（図示せず）として機能するパソコンＰＣに搭載されており、デジタルカメラ等で撮影された画像データをメモリカードや各種半導体メモリ、ＣＤ−Ｒ等のメディアから取り込む。
パソコンＰＣは、受付端末機２、プリントステーション７、フィルムスキャナ６１、モニタ６３、キーボード６４およびマウス６５と接続されている。
【００３３】
（プリントステーション７の構成）
プリントステーション７は、図５に示すように、内部に２つの印画紙マガジン７１と、シートカッター７２と、バックプリント部７３と、プリント露光部７４と、処理槽ユニット７５と、コンベア７６と、ソータ７７（図１参照）と、印画紙搬送機構７８とを有している。
【００３４】
２つの印画紙マガジン７１は、プリントステーション７の内部においてロール状の印画紙Ｐを１つずつ収納しており、印画紙搬送機構７８によって適宜必要な量の印画紙Ｐが引き出される。
シートカッター７２は、印画紙搬送機構７８の一部と隣接するように配置されており、印画紙マガジン７１から引き出された印画紙Ｐをプリントサイズに切断する。
【００３５】
バックプリント部７３は、シートカッター７２の下流側であって印画紙搬送機構７８と隣接する位置に配置されており、プリントサイズに切断された印画紙Ｐの裏面側に、色補正情報やコマ番号等のプリント処理情報をプリント処理する。
プリント露光部７４は、バックプリント部７３の下流側における印画紙搬送機構７８に隣接するように配置されており、プリントサイズに切断された印画紙Ｐの表面に対して、プリントする撮影画像の露光を行う。また、プリント露光部７４には、副走査方向に搬送される印画紙Ｐに対して主走査方向に沿ってＲＧＢの３色のレーザ光線を照射する図示しないライン露光ヘッドを有している。
【００３６】
処理槽ユニット７５は、プリント露光部７４の下流側に配置されており、発色現像処理液を貯留する発色現像槽７５ａ、漂白定着処理液を貯留する漂白定着槽７５ｂ、安定処理液を貯留する安定処理層７５ｃを有している。そして、露光後の印画紙Ｐがこれらの各処理槽７５ａ〜７５ｃをこの順で経由しながら印画紙搬送機構７８によって搬送されることで、所望の写真プリント画像が印画紙Ｐの表面に形成される。
【００３７】
コンベア７６は、プリントステーション７の上部に露出しており、写真プリント画像が表面に形成されて乾燥処理後に排出された印画紙Ｐをソータ７７（図１参照）の方向へ搬送する。
ソータ７７は、プリントステーション７の前面側に鉛直方向に複数のトレイを並べた状態で配置されており、コンベア７６によって搬送されるプリント済の印画紙Ｐを、オーダ単位で各トレイに振り分ける（図１参照）。
【００３８】
印画紙搬送機構７８は、プリントステーション７の内部において、印画紙マガジン７１に収容されたロール状の印画紙Ｐを引き出すとともに、プリントサイズに切断された印画紙Ｐを、印画紙Ｐに対して行われる様々な処理に対応した搬送速度で搬送する。また、印画紙搬送機構７８は、印画紙Ｐの搬送方向におけるプリント露光部７４の上流側および下流側にそれぞれ配置されたチャッカー式搬送ユニット７８ａと、複数の挟持搬送ローラ対７８ｂとを有している。
【００３９】
［受付端末機２における受付処理］
次に、受付端末機２におけるコントローラ２０による基本的な受付処理を処理順序に沿って説明する。図６は、この処理の概要を示すフローチャートである。
ステップＳ１においては、受付端末機２の待機状態であって、表示制御部３２は、初期画面として、例えば、図７に示すように、受付端末機２の機能やＤＰ店のロゴマーク等を含む待機画面をディスプレイ２２に表示させている。この待機画面には、「画面に触れてください」とのメッセージが表示されていて、プリント注文を行う操作者にタッチパネル２３に触れることを促す。そして、操作者が、タッチパネル２３に指を接触させることにより、ステップＳ２へ進む。
【００４０】
ステップＳ２においては、表示制御部３２は、最初の注文用画面として、例えば、図８に示すような「サービス選択画面」をディスプレイ２２に表示させる。この画面には、「サービスを選択してください」とのメッセージと共に、プリント注文の受付を行わせるプリント受付ボタン４０と、メディア保存受付を行わせるメディア保存受付ボタン４１が表示されている。そして、操作者に両サービスのうち１つを選択する入力操作、つまり両ボタン４０，４１のうちいずれか一方に触れる操作を促す。
【００４１】
そして、操作者が、「サービス選択画面」におけるプリント受付ボタン４０を接触操作した場合には、ステップＳ３へ進む。
一方、操作者がメディア保存受付ボタン４１を接触操作した場合には、メディアＭ１に保存された画像情報を、写真プリント装置５に転送して、写真プリント装置５においてＣＤ−ＲやＭＯに保存する処理が行われる。なお、以降の処理は、後述するプリント注文の受付処理と基本的に同じ処理であるのでここでは詳述しない。
【００４２】
ステップ３においては、表示制御部３２は、次の注文用画面として、例えば、図９に示すような「メディア選択画面」をディスプレイ２２に表示させる。この「メディア選択画面」には、「メディアを選択してください」とのメッセージと共に、複数のメディアボタン４３，４３，…を表示して、操作者に複数のメディアの中から１つのメディアを選択する入力操作を促す。そして、操作者が、この入力操作の後、メディアドライブ２４にセットするメディアに対応するメディアボタン４３を接触操作することによって、ステップＳ４へ進んで、次の処理を実行する。
【００４３】
なお、「メディア選択画面」の下側には、処理を中止するための中止ボタン４２ｃと、表示中の注文用画面（ここでは「メディア選択画面」）の１つ前に表示された注文用画面（ここでは「サービス選択画面」）に戻るための戻るボタン４２ｄとが表示されている。そして、これらの中止ボタン４２ｃおよび戻るボタン４２ｄは、後述の各注文用画面においても同様の位置に表示され、ボタン接触操作により同様に機能する。
【００４４】
ステップＳ４においては、表示制御部３２は、次の注文用画面として、「メディアセット案内画面」（図示せず）をディスプレイ２２に表示させる。この画面には、「メディアをセットして、ＯＫボタンを押してください」とのメッセージと共に、ステップＳ３において操作者が選択したメディアをセットする際の具体的な画像が表示されている。そして、操作者がメディアドライブ２４にメディアをセットし、ＯＫボタン（図示せず）を操作することで、ステップＳ５へ進む。
【００４５】
ステップ５においては、画像情報処理部３１が、メディアＭ１から画像情報を読み出し、その後、ステップＳ６へ進む。
ステップＳ６においては、表示制御部３２は、次の注文用画面として、例えば、図１０に示すような「プリントサイズ選択画面」をディスプレイ２２に表示させる。この画面には、「プリントサイズを選択してください」とのメッセージと共に、複数のプリントサイズに対応したサイズ指定ボタン４５，４５，…が表示されている。サイズ指定ボタン４５，４５，…には、プリントサイズを示す「Ｌ版」や「２Ｌ版」等の文字の他に、プリントサイズを示す数値と、プリントの単価と、プリントの基本料金とがそれぞれ表示される。そして、操作者がいずれか１つのサイズ指定ボタン４５を操作すると、注文情報処理部３４は、その入力操作されたプリントサイズをメモリ２８に記憶させる。その後、ステップＳ７へ進んで、次の処理を実行する。
【００４６】
ステップＳ７において、表示制御部３２は、次の注文用画面として、例えば、図１１に示すような「プリント枚数設定画面」をディスプレイ２２に表示させて、操作者に、プリント対象の画像情報の選択、プリント枚数の設定および必要に応じて画像の補正を行わせる。この画面には、「プリント枚数を設定してください」とのメッセージと、メディアＭ１から読み出された複数の画像情報に対するサムネイル画像Ｓとが表示されている。なお、本実施形態においては、８つのサムネイル画像Ｓが１ページ分として表示される。
【００４７】
また、「プリント枚数設定画面」における各サムネイル画像Ｓを含むフレーム４６の上段には、画像情報を特定するファイルの名称、ファイルの種類を示す拡張子およびデータサイズが表示されている。また、フレーム４６の下段には、プリント枚数を示す数値を表示するプリント枚数表示エリア４７が形成され、かつ、このプリント枚数表示エリア４７を互いに挟む位置にプリント枚数を１枚ずつ増加させるプラスボタン４７ａと、プリント枚数を１枚ずつ減少させるマイナスボタン４７ｂとが表示されている。さらにまた、プリント枚数表示エリア４７の下側には、画像の補正を行うべく図示しない「画像補正画面」へ遷移する補正ボタン４７ｃが表示されている。
【００４８】
プリント枚数表示エリア４７にプリント枚数として表示される数値は、初期状態においては「０」である。そして、プラスボタン４７ａが操作されると、その画像のプリント枚数が１増加し、マイナスボタン４７ｂが操作されると、その画像情報のプリント枚数が１減少し、その設定枚数がプリント枚数表示エリア４７に表示される。
また、「プリント枚数設定画面」の画面下側には、中止ボタン４２ｃと、画像情報の表示順序を逆転させる表示順逆転ボタン４６ａと、全てのプリント枚数を１枚ずつ増加させる全体プラスボタン４６ｂと、全てのプリント枚数を１枚ずつ減少させる全体マイナスボタン４６ｃと、注文を完了する（ここでは、注文情報を作成するための注文の完了を意味し、操作者の注文が完全に完了するのは、後述の「メディア取り出し案内画面」におけるＯＫボタンを操作したときである）ＯＫボタン４４と、現在表示中のページから１つ前に表示されたページを表示させる（最初のページの表示中に操作したときには、上記「プリントサイズ選択画面」に戻る）戻るボタン４６ｄと、次のページを表示させる進むボタン４６ｅとが表示されている。そして、全体プラスボタン４６ｂと全体マイナスボタン４６ｃとの間には、ページを示す数字（全ページを示す数字および現在表示されているページを示す数字）が表示されている。さらに、画面下側の中央位置には、情報エリアＤＥが表示されている。この情報エリアＤＥには、選択されたプリントサイズの情報、設定されたプリント合計枚数、選択された画像数、プリント１枚の単価およびプリントに要する合計金額が表示される。
【００４９】
表示順逆転ボタン４６ａを操作することによって、画像情報をファイル名の昇順と降順とを切り替えて表示することができる。表示順逆転ボタン４６ａは、降順で表示するための降順ボタンと昇順で表示するための昇順ボタンとの２つのボタンからなり、画像情報が降順で表示されている際には、昇順ボタンは「昇順で表示」と表示されて、操作可能なボタンとして機能し、降順ボタンは「降順で表示中」と表示されて現在の表示順を示す表示欄として機能する。一方、画像情報が昇順で表示されている際には、降順ボタンは「降順で表示」と表示されて操作可能となり、昇順ボタンは「昇順で表示中」と表示されて現在の表示順を示す表示欄として機能する。
【００５０】
また、操作者が、全体プラスボタン４６ｂを操作することによって、画面に表示されない画像も含めて全ての画像情報のプリント枚数が１増加され、全体マイナスボタン４６ｃを操作することで、画面に表示されない画像も含めて全ての画像情報のプリント枚数が１減少される。
「プリント枚数設定画面」においては、各サムネイル画像Ｓのフレーム４６の補正ボタン４７ｃを操作することによって、表示制御部３２は、注文用画面として、図示しない「画像補正画面」をディスプレイ２２に表示させる。操作者は、この画面で各画像の色や濃度、トリミング位置、大きさ等を補正することができる。
【００５１】
これにより、プリント対象の画像情報を選択し、かつ、プリント枚数を設定し、必要に応じて画像情報を補正した後、「プリント枚数設定画面」におけるＯＫボタン４４を操作者が接触操作することで、注文情報処理部３４は、プリント対象の画像情報、そのプリント枚数および画像補正の設定内容、ならびにメモリ２８に記憶されたプリントサイズから注文情報を作成し、この注文情報をメモリ２８に記憶する。
【００５２】
すなわち、ステップＳ７において「プリント枚数設定画面」をディスプレイ２２に表示させた後、ステップＳ８において、「プリント枚数設定画面」中で補正ボタン４７ｃ、または、ＯＫボタン４４が操作されたか否かを判定する。そして、補正ボタン４７ｃが操作された場合には、ステップＳ９へ進んで、上述したように「画像補正画面」を表示させ、この「画像補正画面」におけるＯＫボタン、または、戻るボタンを操作すると、再びステップＳ７へ戻って「プリント枚数設定画面」を表示させる。こうして、プリント枚数の設定および画像補正が完了するまでステップＳ７〜ステップＳ９の処理を繰り返し、「プリント枚数設定画面」におけるＯＫボタン４４が操作されると、ステップＳ８からステップＳ１０へと進む。
【００５３】
ここで、ステップＳ７における、表示制御部３２の処理方法について、図１２を用いて詳述する。
ステップＳ６において、操作者がいずれかのサイズ指定ボタン４５に触れると、表示制御部３２が、図１１に示すような「プリント枚数設定画面」をディスプレイ２２に表示させるのと同時に、時間計測部３６が、時間経過の計測を開始する（ステップＳ７１）。そして、ステップＳ７２において、表示変更部３７は、時間計測部３６によって所定の時間が経過したことを確認すると、図１３に示すように、次に入力すべき箇所の表示方法を変更することを操作者に確認するためのメッセージボックス５３を表示する（ステップＳ７３）。そして、操作者が、メッセージボックス５３の中の「はい」ボタン５４をクリックした場合には、ステップＳ７４へ進み、「いいえ」ボタン５５を操作した場合には、変更表示をすることなくステップＳ７へ戻る。
【００５４】
ステップＳ７４において、表示変更部３７は、プラスボタン４７ａ、マイナスボタン４７ｂおよび補正ボタン４７ｃの表示方法を変更する。具体的には、まず、表示変更部３７は、図１４（ａ）に示すように、左上のサムネイル画像Ｓを含むフレーム４６におけるプラスボタン４７ａ、マイナスボタン４７ｂおよび補正ボタン４７ｃを拡大表示する。これにより、操作者の注意を引きつけて入力を促すことが可能となる。
【００５５】
そして、操作者が、上記拡大されたいずれかのプラスボタン４７ａ、マイナスボタン４７ｂおよび補正ボタン４７ｃに触れると、時間計測部３６は、再び時間経過の計測を開始する。そして、時間計測部３６によって入力操作がないまま所定の時間が経過したことが確認されると、表示変更部３７は、図１４（ｂ）に示すように、ステップＳ７４において最初に拡大表示したフレーム４６の右に隣接するプラスボタン４７ａ、マイナスボタン４７ｂおよび補正ボタン４７ｃを拡大表示する。以後、「プリント枚数設定画面」に表示されたフレーム４６のすべて、すなわち、メディアＭ１から読み出された画像すべてについて上記の拡大表示が繰り返される。
【００５６】
ステップＳ１０においては、表示制御部３２は、次の注文用画面として、図示しない「名前入力画面」をディスプレイ２２に表示させる。この画面には、「名前を入力してください」とのメッセージが表示されるとともに、名前表示部とキーボードとを有した入力ボード（図示せず）が表示され、キーボードに接触して名前を入力する。そして、注文情報処理部３４は、入力された名前を操作者情報としてメモリ２１に記憶する。
【００５７】
ステップＳ１１においては、表示制御部３２は、次の注文用画面として、図示しない「電話番号入力画面」をディスプレイ２２に表示させる。この画面には、「電話番号を入力してください」とのメッセージが表示されるとともに、数字ボード（図示せず）が表示され、数字ボードに接触して電話番号を入力する。そして、注文情報処理部３４は、入力された電話番号を操作者情報としてメモリ２８に記憶する。その後、ステップＳ１２へと進む。
【００５８】
なお、本実施形態では、上記のような操作者の名前や電話番号の入力操作は、プリント注文を行う上で必須の入力操作ではないので、これらの操作者情報の入力操作がない場合でも次の処理に移行できるような処理形態にすることもできる。
ステップＳ１２においては、表示制御部３２は、次の注文用画面として、図示しない「注文内容確認画面」をディスプレイ２２に表示させる。この画面には、「注文の内容を確認してください」とのメッセージが表示されるとともに、メモリ２８に記憶された注文情報の詳細と、そのプリント料金とを一覧化した表示がされる。そして、操作者が「注文内容確認画面」におけるＯＫボタン（図示せず）を操作することによって、プリント注文に必要な全ての項目が完全に設定されたこととなり、次のステップＳ１３へと進む。
【００５９】
ステップＳ１３においては、ステップＳ１２において設定された注文情報を写真プリント装置５へ送信する。写真プリント装置５は、注文情報を受信すると、その内容に従ってプリントを実行する。
ステップＳ１４においては、表示制御部３２は、次の注文用画面として、図示しない「メディア取り出し案内画面」をディスプレイ２２に表示させる。この画面には、「メディアを取り出してください」とのメッセージが表示される。操作者は、この表示に従いメディアＭ１を取り出し、ＯＫボタン（図示せず）を操作することで、ステップＳ１５へ進む。
【００６０】
ステップＳ１５においては、表示制御部３２は、例えば、図示しない「受付証発行案内画面」をディスプレイ２２に表示させる。この画面には、「受付証を発行中です。しばらくお待ちください。」および「受付証はカウンターに持参してください。」とのメッセージが表示される。そして、一定時間が経過すると、ステップＳ１６へ進む。
ステップＳ１６においては、受付証発行処理部３５によって受付証ｒｅがプリントされる。このように受付証ｒｅが発行されると、受付処理の全てが終了して待機画面に復帰する。受付証ｒｅは、受付証本体とお客様控えとが連なった形態となっており、お客様名、電話番号、受付ＩＤ、端末ＩＤ、受付日、注文番号等の他に注文の詳細を示す内容等がプリントされている。操作者は、店頭の受付において、受付証ｒｅと引き替えに写真プリントを交換する。
【００６１】
［プリント注文受付システム１の特徴］
（１）
本実施形態のプリント注文受付システム１において表示変更部３７は、時間計測部３６によって所定の時間が経過したことを確認すると、図１４（ａ），（ｂ）に示すように、次の入力を要求する箇所である、プラスボタン４７ａ、マイナスボタン４７ｂおよび補正ボタン４７ｃの表示を変更している。
【００６２】
これにより、操作者に表示方法を変更した入力領域に注意を引きつけることができるので、次に入力すべき入力領域を容易に把握させることを可能としている。
（２）
本実施形態のプリント注文受付システム１において表示変更部３７は、図１４（ａ），（ｂ）に示すように、プラスボタン４７ａ、マイナスボタン４７ｂおよび補正ボタン４７ｃを拡大表示している。
【００６３】
これにより、表示方法を変更したことを容易に操作者に把握させることを可能としている。
（３）
本実施形態のプリント注文受付システム１では、表示変更部３７は、時間計測部３６によって入力操作がないまま所定の時間が経過したことを確認すると、図１３に示すように、次に入力すべき箇所の表示方法を変更することを操作者に確認するためのメッセージボックス５０を表示している。
【００６４】
これにより、操作を熟知している操作者は、メッセージボックス５０における「いいえボタン」を操作して表示の変更を回避することで、変更表示による煩わしさを解消することを可能としている。
（４）
本実施形態のプリント注文受付システム１では、顧客自らが操作者となって注文を行うことができるように、受付端末機２が店頭等に配置されている。
【００６５】
これにより、操作者が受付端末機２を操作する際に、次に入力すべき内容について迷うことがなくなるので使用時間の短縮を図ることができる。この結果、受付端末機２を使用するために待たなければならない時間を短縮することを可能としている。
［他の実施形態］
以上、本発明の一実施形態について説明したが、本発明は上記実施形態に限定されるものではなく、発明の要旨を逸脱しない範囲で種々の変更が可能である。
【００６６】
（Ａ）
上記実施形態のプリント注文受付システム１では、メモリ２８に格納された情報入力処理プログラムＰＧをコントローラ２０が実行することによって、図４に示す機能ブロックを構築する例を挙げて説明した。しかし、本発明はこれに限定されるものではない。
例えば、図４に示す機能ブロックは、複数のハードウェア、１つのハードウェアやコンピュータソフトウェア等の機能を組み合わせて構築してもよく、処理能力等に応じて適宜決めることができる。
【００６７】
（Ｂ）
上記実施形態のプリント注文受付システム１では、表示変更部３７が拡大表示する入力領域を、図１４（ａ），（ｂ）に示すように、プラスボタン４７ａ、マイナスボタン４７ｂおよび補正ボタン４７ｃに適用した例を挙げて説明した。しかし、本発明はこれに限定されるものではない。
【００６８】
例えば、拡大表示する入力領域の対象は、図１１に示すような注文完了ボタン４４や進むボタン４６ｅであってもよい。また、図１０に示すように、「プリントサイズ選択画面」におけるサイズ指定ボタン４５であってもよい。操作者に対して次に入力を要求する入力領域であれば、上記実施形態に係るプリント注文受付システム１と同様の効果を得ることができる。
【００６９】
また、変更表示する対象は、上記に示した各種ボタンだけでなく、数値等を入力するテキストボックス等であってもよい。
（Ｃ）
上記実施形態のプリント注文受付システム１では、表示変更部３７が拡大表示する入力領域を、図１４（ａ），（ｂ）に示すように、プラスボタン４７ａ、マイナスボタン４７ｂおよび補正ボタン４７ｃ等、次に入力を要求する箇所が１箇所である場合を例に挙げて説明した。しかし、本発明はこれに限定されるものではない。
【００７０】
次に入力を要求する箇所は、２箇所以上であっても本発明を適用することが可能である。この場合、例えば、図１６に示すように、複数箇所（プラスボタン４７ａ、マイナスボタン４７ｂおよび補正ボタン４７ｃ等のプリント枚数表示エリア４７および注文完了ボタン４４）を拡大表示することによって、上記実施形態に係るプリント注文受付システム１と同様の効果を得ることができる。
【００７１】
（Ｄ）
上記実施形態のプリント注文受付システム１では、表示変更部３７は、図１４（ａ），（ｂ）に示すように、プラスボタン４７ａ、マイナスボタン４７ｂおよび補正ボタン４７ｃを拡大表示する例を挙げて説明した。しかし、本発明はこれに限定されるものではない。
【００７２】
例えば、表示変更部は、次に入力を要求する入力領域を点滅表示させてもよい。また、次に入力を要求する入力領域の色を変化させてもよい。
（Ｅ）
上記実施形態のプリント注文受付システム１では、表示変更部３７は、時間計測部３６によって入力操作がないまま所定の時間が経過したことを確認すると、例えば、図１３に示すような、次に入力すべき箇所の表示方法を変更することを操作者に確認するためのメッセージボックス５０を表示する例を挙げて説明した。しかし、本発明はこれに限定されるものではない。
【００７３】
入力操作がないまま所定の時間が経過した場合、表示変更部は、メッセージボックスを表示せず、自動的に次に入力すべき箇所の表示変更を行ってもよい。
また、操作者が待機画面接触時、すなわち、一連の注文を始める前に、次に入力すべき箇所の表示変更の有無を設定できるような画面を表示してもよい。
（Ｆ）
上記実施形態のプリント注文受付システム１では、２台の受付端末機２が写真プリント装置５とそれぞれ接続されている例を挙げて説明した。しかし、本発明はこれに限定されるものではない。
【００７４】
例えば、写真プリント装置と接続される受付端末機は１台であってもよく、３台以上であってもよい。
（Ｇ）
上記実施形態のプリント注文受付システム１では、受付端末機２と写真プリント装置５とをネットワーク８を介して通信可能に接続した構成を例に挙げて説明した。しかし、本発明はこれに限定されるものではない。
【００７５】
例えば、図１５に示すように、受付端末機８１と写真プリント装置８２とが一体化された受付端末機８０であっても本発明を適用することができる。このように一体化された受付端末機８０は、上記受付端末機２の構成に加えて、図示しない印画紙マガジン、印画紙搬送機構、露光ヘッド、現像処理部等を備えている。
（Ｈ）
上記実施形態のプリント注文受付システム１では、サービス選択、メディア選択、プリントサイズ選択、プリント枚数設定、画像補正および操作者情報（名前および電話番号）入力という各入力操作が、プリント注文を行うための入力操作としている例を挙げて説明した。しかし、本発明はこれに限定されるものではない。
【００７６】
例えば、テンプレートの選択等のような他の入力操作を加えてもよいし、また、上記に示した操作者情報の入力操作等はなくすようにしてもよい。
（Ｉ）
上記実施形態のプリント注文受付システム１では、表示制御部３２がディスプレイ２２に表示する入力領域に対して、表示変更部３７が変更表示する例を挙げて説明した。しかし、本発明はこれに限定されるものではない。
【００７７】
例えば、表示制御部が、ＷＷＷシステムを使用してインターネット上に表示する入力領域に対して、変更表示部が変更表示を行ってもよい。これによれば、インターネットを介してプリント注文等を受け付けるＷＥＢページにおいても、操作者に、次に入力すべき入力領域を容易に把握させることが可能となる。
【産業上の利用可能性】
【００７８】
本発明によれば、次に入力すべき入力領域を容易に把握させることが可能となるので、店頭等に設置されておりユーザ自らが操作する各種端末装置への適用が特に有用である。
【図面の簡単な説明】
【００７９】
【図１】本発明の一実施形態に係るプリント注文受付システムの外観図。
【図２】図１のプリント注文受付システムに含まれる受付端末機の外観図。
【図３】図１のプリント注文受付システムにおける制御ブロック図。
【図４】図１のプリント注文受付システムにおいて形成される機能ブロック図。
【図５】図１のプリント注文受付システムに含まれるプリントステーションの断面図。
【図６】図４に含まれるコントローラによる受付処理を示すフローチャート。
【図７】図４に含まれる表示制御部が表示する待機画面を示した図。
【図８】図４に含まれる表示制御部が表示するサービス選択画面を示した図。
【図９】図４に含まれる表示制御部が表示するメディア選択画面を示した図。
【図１０】図４に含まれる表示制御部が表示するプリントサイズ選択画面を示した図。
【図１１】図４に含まれる表示制御部が表示するプリント枚数選択画面を示した図。
【図１２】図６に示すフローチャートにおける詳細処理（ステップＳ７）を示したフローチャート。
【図１３】図４に含まれる表示変更部が表示する確認表示を示した図。
【図１４】（ａ），（ｂ）は、図４に含まれる表示変更部が表示する拡大表示を示した図。
【図１５】本発明の他の実施形態に係る受付端末機の外観図。
【図１６】本発明の他の実施形態に係る注文受付システムが表示するプリント枚数選択画面を示した図。
【符号の説明】
【００８０】
１        プリント注文受付システム
２        受付端末機（情報入力装置，受付端末機）
５        写真プリント装置
６        操作ステーション
７        プリントステーション
８        ネットワーク
２０      コントローラ
２１      筐体
２２      ディスプレイ
２３      タッチパネル（入力操作部）
２４      メディアドライブ
２５      受付証プリンタ
２６      ハードディスク
２７      ＣＰＵ
２８      メモリ
３１      画像情報処理部
３２      表示制御部（第１のステップ）
３３      入力検出部（第２のステップ）
３４      注文情報処理部
３５      受付証発行処理部
３６      時間計測部（第３のステップ）
３７      表示変更部（第４のステップ）
４０      プリント受付ボタン
４１      メディア保存受付ボタン
４２ｄ    戻るボタン
４２ｃ    中止ボタン
４３      メディアボタン
４４      ＯＫボタン
４５      サイズ指定ボタン
４６      フレーム
４６ａ    表示順逆転ボタン
４６ｂ    全体プラスボタン
４６ｃ    全体マイナスボタン
４６ｄ    戻るボタン
４６ｅ    進むボタン
４７      プリント枚数表示エリア
４７ａ    プラスボタン
４７ｂ    マイナスボタン
４７ｃ    補正ボタン
５３      メッセージボックス
５４      はいボタン
５５      いいえボタン
６１      フィルムスキャナ
６２      メディアリーダ
６３      モニタ
６５      マウス
７１      印画紙マガジン
７２      シートカッター
７３      バックプリント部
７４      プリント露光部
７５      処理槽ユニット
７５ａ    発色現像槽
７５ｂ    漂白定着槽
７５ｃ    安定処理層
７６      コンベア
７７      ソータ
７８      印画紙搬送機構
７８ａ    チャッカー式搬送ユニット
７８ｂ    挟持搬送ローラ対
ＤＥ      情報エリア
Ｍ１      記録媒体
ＰＣ      パソコン
ＰＧ      情報入力処理プログラム
Ｐ        印画紙
ｐ        仕上がりプリント
【図１】
2008304804.tif 000003
【図２】
2008304804.tif 000004
【図３】
2008304804.tif 000005
【図４】
2008304804.tif 000006
【図５】
2008304804.tif 000007
【図６】
2008304804.tif 000008
【図７】
2008304804.tif 000009
【図８】
2008304804.tif 000010
【図９】
2008304804.tif 000011
【図１０】
2008304804.tif 000012
【図１１】
2008304804.tif 000013
【図１２】
2008304804.tif 000014
【図１３】
2008304804.tif 000015
【図１４】
2008304804.tif 000016
【図１５】
2008304804.tif 000017
【図１６】
2008304804.tif 000018